(57)【要約】【課題】端末装置と無線通信システムとの間の通信経路の確立中に端末装置が移動した際の通信遅延の発生を防止する。【解決手段】携帯端末Ｍが在圏可能な複数のセルを形成するｅＮＢ３と、セル群ＳＧａ，ＳＧｂ，ＳＧｃ，ＳＧｄ毎に設けられた交換機を含むＥＰＣ１５ａ，１５ｂ，１５ｃ，１５ｄと、セル上位群ＵＧ１，ＵＧ２毎にそれぞれ設けられて、携帯端末Ｍとの間でｅＮＢ３及びＥＰＣ１５ａ，１５ｂ，１５ｃ，１５ｄを経由して通信ベアラを確立する通信制御装置であるＩＭＳ１３ａ，１３ｂ，１３ｃ，１３ｄとを備え、携帯端末Ｍがセル群ＳＧａからセル群ＳＧｃに移動したことを検知した際には、携帯端末Ｍとセル群ＳＧａに対応するＩＭＳ１３ａとの間の通信ベアラを切断した後に、携帯端末Ｍとセル群ＳＧｃに対応するＩＭＳ１３ｃとの間の通信ベアラを再確立させる。【選択図】図３
2015043517.tif 000002
【特許請求の範囲】
【請求項１】
端末装置が所定の通信プロトコルで接続可能な無線通信システムであって、
前記端末装置との間を無線通信によって接続し、前記端末装置が在圏可能な複数のセルをそれぞれ形成する複数の無線基地局と、
前記複数のセルをグループ分けした複数のセル群毎に設けられ、それぞれの前記セル群を形成する複数の前記無線基地局と接続可能にされた複数の交換機と、
１以上の前記セル群毎にそれぞれ設けられて当該１以上のセル群に対応する複数の前記交換機と接続可能にされ、前記端末装置との間で前記無線基地局及び前記交換機を経由して前記所定の通信プロトコルによる通信経路を確立する複数の通信制御装置とを備え、
前記端末装置が第１の前記セル群から第２の前記セル群へ跨って移動したことを検知した際には、前記端末装置と前記第１のセル群に対応する前記通信制御装置との間の通信経路を切断した後に、前記端末装置と前記第２のセル群に対応する前記通信制御装置との間の通信経路を再確立させる、
ことを特徴とする無線通信システム。
【請求項２】
前記端末装置が前記第１のセル群から前記第２の前記セル群へ跨って移動したことを検知した直後に、前記第１のセル群に対応する前記交換機を経由した通信経路から、前記第２のセル群に対応する前記交換機を経由した通信経路にハンドオーバした後に、前記通信経路の切断及び再確立を実行する、
ことを特徴とする請求項１記載の無線通信システム。
【請求項３】
前記端末装置が前記第１のセル群から前記第２の前記セル群へ跨って移動したことを検知した際に、前記端末装置が通信処理を実行中の場合には、前記通信処理が終了された後に、前記通信経路の切断及び再確立を実行する、
ことを特徴とする請求項１又は２記載の無線通信システム。
【請求項４】
前記端末装置からの位置登録要求を基にして、前記セル群間を跨った移動を検出する、
ことを特徴とする請求項１〜３のいずれか１項に記載の無線通信システム。
【請求項５】
端末装置と無線通信システムとの間での所定の通信プロトコルによる通信確立方法であって、
前記無線通信システムは、
前記端末装置との間を無線通信によって接続し、前記端末装置が在圏可能な複数のセルをそれぞれ形成する複数の無線基地局と、
前記複数のセルをグループ分けした複数のセル群毎に設けられ、それぞれの前記セル群を形成する複数の前記無線基地局と接続可能にされた複数の交換機と、
１以上の前記セル群毎にそれぞれ設けられて当該１以上のセル群に対応する複数の前記交換機と接続可能にされ、前記端末装置との間で前記無線基地局及び前記交換機を経由して前記所定の通信プロトコルによる通信経路を確立する複数の通信制御装置とを備え、
前記無線通信システムが、前記端末装置が第１の前記セル群から第２の前記セル群へ跨って移動したことを検知する第１のステップと、
第１のステップの後に、前記無線通信システムが、前記端末装置と前記第１のセル群に対応する前記通信制御装置との間の通信経路を切断した後に、前記端末装置と前記第２のセル群に対応する前記通信制御装置との間の通信経路を再確立させる第２のステップと、
を備えることを特徴とする接続確立方法。
【発明の詳細な説明】
【技術分野】
【０００１】
本発明は、無線通信システム及び接続確立方法に関するものである。
【背景技術】
【０００２】
従来から、無線通信システムにおいては、通信輻輳時に重要通信等の確保の観点から発信規制を実施することが可能とされている。例えば、無線通信システムから端末装置に対して無線を利用した報知情報によって発信規制中であることが通知され、端末装置にて発信を規制する。
【０００３】
また、無線通信システムの構成としては、複数のエリアごとに設置された中継局と、任意のエリアに位置する端末装置に対して中継局を介して通信を行う交換機とを有する構成が一般的である（下記特許文献１参照。）。このような無線システムの構成では、複数のエリア毎に端末装置に対して発信規制をかけることが可能にされる。
【先行技術文献】
【特許文献】
【０００４】
【特許文献１】特開平６−３３５０４９号公報
【発明の概要】
【発明が解決しようとする課題】
【０００５】
ところで、上述したような無線通信システムにおいて、端末装置が複数のエリアを跨って移動した場合には、端末装置の接続先の中継局及び交換機が変更される。また、ＬＴＥ（Long Term Evolution）規格等の所定通信規格の無線通信システムの場合には、端末装置がＶｏＬＴＥ（Voice over LTE）等の所定の通信プロトコルを利用してデータ通信を行う際には、端末装置と無線通信システム内に設置された通信制御装置との間に予め通信ベアラ（通信経路）が確立されている必要がある。このような無線通信システムにおいては、端末装置が通信ベアラの確立中に複数のエリアを跨って移動した場合に、端末装置と通信制御装置との間の通信を中継する中継局及び交換機が変更されることにより、伝送距離が長くなって通信遅延が大きくなる場合があった。
【０００６】
そこで、本発明はかかる課題に鑑みて為されたものであり、端末装置と無線通信システムとの間の通信経路の確立中に端末装置が移動した際の通信遅延の発生を効果的に防止できる無線通信システム及び接続確立方法を提供することを目的とする。
【課題を解決するための手段】
【０００７】
本発明の一形態に係る無線通信システムは、端末装置が所定の通信プロトコルで接続可能な無線通信システムであって、端末装置との間を無線通信によって接続し、端末装置が在圏可能な複数のセルをそれぞれ形成する複数の無線基地局と、複数のセルをグループ分けした複数のセル群毎に設けられ、それぞれのセル群を形成する複数の無線基地局と接続可能にされた複数の交換機と、１以上のセル群毎にそれぞれ設けられて当該１以上のセル群に対応する複数の交換機と接続可能にされ、端末装置との間で無線基地局及び交換機を経由して所定の通信プロトコルによる通信経路を確立する複数の通信制御装置とを備え、端末装置が第１のセル群から第２のセル群へ跨って移動したことを検知した際には、端末装置と第１のセル群に対応する通信制御装置との間の通信経路を切断した後に、端末装置と第２のセル群に対応する通信制御装置との間の通信経路を再確立させる。
【０００８】
本発明の他の形態に係る接続確立方法は、端末装置と無線通信システムとの間での所定の通信プロトコルによる通信確立方法であって、無線通信システムは、端末装置との間を無線通信によって接続し、端末装置が在圏可能な複数のセルをそれぞれ形成する複数の無線基地局と、複数のセルをグループ分けした複数のセル群毎に設けられ、それぞれのセル群を形成する複数の無線基地局と接続可能にされた複数の交換機と、１以上のセル群毎にそれぞれ設けられて当該１以上のセル群に対応する複数の交換機と接続可能にされ、端末装置との間で無線基地局及び交換機を経由して所定の通信プロトコルによる通信経路を確立する複数の通信制御装置とを備え、無線通信システムが、端末装置が第１のセル群から第２のセル群へ跨って移動したことを検知する第１のステップと、第１のステップの後に、無線通信システムが、端末装置と第１のセル群に対応する通信制御装置との間の通信経路を切断した後に、端末装置と第２のセル群に対応する通信制御装置との間の通信経路を再確立させる第２のステップと、を備える。
【０００９】
このような無線通信システム、或いは接続確立方法が適用される無線通信システムにおいては、端末装置が在圏可能な複数のセルのそれぞれに対応した複数の無線基地局と、複数のセル群毎に設けられた複数の交換機と、１以上のセル群毎にそれぞれ設けられた複数の通信制御装置が設けられている。そして、無線通信システム或いは接続確立方法によれば、端末装置が第１のセル群から第２のセル群に移動したことが検知されると、端末装置と第１のセル群に対応する通信制御装置との間の通信経路が切断された後に、端末装置と第２のセル群に対応する通信制御装置との間の通信経路が再接続される。これにより、端末装置が移動した際に、端末装置と通信制御装置との間の伝送距離が短くされて、端末装置における所定の通信プロトコルを利用した通信の遅延が効果的に低減される。
【００１０】
上記無線通信システムにおいては、端末装置が第１のセル群から第２のセル群へ跨って移動したことを検知した直後に、第１のセル群に対応する交換機を経由した通信経路から、第２のセル群に対応する交換機を経由した通信経路にハンドオーバした後に、通信経路の切断及び再確立を実行する、ことが好適である。この場合、端末装置の移動中における通信の途絶を確実に防止できる。
【００１１】
また、端末装置が第１のセル群から第２のセル群へ跨って移動したことを検知した際に、端末装置が通信処理を実行中の場合には、通信処理が終了された後に、通信経路の切断及び再確立を実行する、ことも好適である。かかる構成を採れば、この場合、端末装置の移動中及び移動後における通信の途絶を確実に防止できる。
【００１２】
さらに、端末装置からの位置登録要求を基にして、セル群間を跨った移動を検出する、ことも好適である。こうすれば、端末装置の移動状態を迅速に把握することができ、その結果、端末装置における通信の遅延が継続的に低減される。
【発明の効果】
【００１３】
本発明によれば、端末装置と無線通信システムとの間の通信経路の確立中に端末装置が移動した際の通信遅延の発生を効果的に防止できる。
【図面の簡単な説明】
【００１４】
【図１】本実施形態の第１実施形態に係る無線通信システムのシステム構成を示す図である。
【図２】図１の無線通信システム１において、携帯端末のアタッチ時の通信ベアラの設定状態を示す図である。
【図３】図１の無線通信システム１において、携帯端末の移動時の通信ベアラの再設定状態を示す図である。
【図４】図１のＭＭＥ５ａ，５ｂ，５ｃ，５ｄの機能構成を示すブロック図である。
【図５】（ａ）は、組み合わせ情報格納部１０５に格納されたデータの構成、（ｂ）は、通信状態管理情報格納部１０７に格納されたデータの構成を示す図である。
【図６】図１の無線通信システム１におけるＶｏＬＴＥを用いた通信手順の全体の流れを示すシーケンス図である。
【図７】図６の電源オン時の処理Ｓ０１の詳細手順を示すシーケンス図である。
【図８】図６の跨り移動処理Ｓ０２の詳細手順を示すシーケンス図である。
【図９】図６の通信ベアラ切断処理Ｓ０３の詳細手順を示すシーケンス図である。
【図１０】図６の通信ベアラ再接続処理Ｓ０４の詳細手順を示すシーケンス図である。
【図１１】図６のハンドオーバ処理Ｓ０２の詳細手順を示すシーケンス図である。
【図１２】図６の通信ベアラ切断処理Ｓ０３の詳細手順を示すシーケンス図である。
【図１３】図１の無線通信システム１において、複数の携帯端末の通信ベアラの設定状態を示す図である。
【図１４】本発明の第２実施形態に係るＰＣＲＦ１１の機能構成を示すブロック図である。
【図１５】（ａ）は、組み合わせ情報格納部２０５に格納されたデータの構成、（ｂ）は、通信状態管理情報格納部２０７に格納されたデータの構成、（ｃ）は、アドレス情報格納部２０９に格納されたデータの構成を示す図である。
【図１６】第２実施形態に係る跨り移動時の処理Ｓ０２の詳細手順を示すシーケンス図である。
【図１７】第２実施形態に係る通信ベアラ切断処理Ｓ０３の詳細手順を示すシーケンス図である。
【図１８】本発明の第３実施形態に係るＩＭＳ１３ａの機能構成を示すブロック図である。
【図１９】（ａ）は、組み合わせ情報格納部３０５に格納されたデータの構成、（ｂ）は、通信状態管理情報格納部３０７に格納されたデータの構成、（ｃ）は、在圏情報格納部３０９に格納されたデータの構成を示す図である。
【図２０】第３実施形態に係る通信ベアラ切断処理Ｓ０３の詳細手順を示すシーケンス図である。
【図２１】比較例にかかる無線通信システム９０１において、携帯端末のアタッチ時の通信ベアラの設定状態を示す図である。
【図２２】比較例にかかる無線通信システム９０１において、複数の携帯端末の通信ベアラの設定状態を示す図である。
【発明を実施するための形態】
【００１５】
以下、図面とともに本発明による無線通信システム及び接続確立方法の好適な実施形態について詳細に説明する。なお、図面の説明においては同一要素には同一符号を付し、重複する説明を省略する。
【００１６】
［第１実施形態］
図１は、本実施形態の第１実施形態に係る無線通信システムのシステム構成を示す図である。同図に示す無線通信システム１は、ＬＴＥ（Long Term Evolution）の通信規格（通信プロトコル）に準拠して端末装置に対してＶｏＬＴＥ（Voice over LTE）等のデータ通信を提供する通信システムである。無線通信システム１は、スマートフォン、タブレット端末を含む携帯端末（端末装置）と接続可能にされており、ｅＮＢ（evolved Node B）３と、ＭＭＥ（Mobility Management Entity）５ａ，５ｂ，５ｃ，５ｄと、Ｓ−ＧＷ（Serving Gateway）７ａ，７ｂ，７ｃ，７ｄと、Ｐ−ＧＷ（PacketData Network Gateway）９ａ，９ｂ，９ｃ，９ｄと、ＰＣＲＦ（Policy andCharging Rules Function）１１と、ＩＭＳ（IP Multimedia Subsystem）１３ａ，１３ｂ，１３ｃ，１３ｄとを含んで構成されている。
【００１７】
本実施形態の無線通信システム１においては、各装置は、物理的に一台の装置で構成されていてもよいし、複数台の装置によって構成された処理システムであってもよい。また、各装置の構成数は任意の数に変更されてもよく、後述する各装置のグループ分けの構成も適宜変更されてよい。
【００１８】
ｅＮＢ３は、無線基地局であるとともに、無線アクセス制御機能を有した通信制御装置である。すなわち、ｅＮＢ３は、携帯端末との間を無線通信によって接続し、携帯端末から発信があった際の受付制御機能や、他の携帯端末から携帯端末に着信があった際に携帯端末を呼び出すページング機能を基本機能として有している。
【００１９】
ここで、無線通信システム１においては、各ｅＮＢ３が、それぞれ、携帯端末が在圏可能なセルＳａ１，Ｓａ２，Ｓｂ１，Ｓｂ２，Ｓｃ１，Ｓｃ２，Ｓｄ１，Ｓｄ２を形成している。そして、ｅＮＢ３は、携帯端末がこのｅＮＢの形成するセル内に在圏する場合に、ｅＮＢ３及び携帯端末間でＬＴＥ方式に従った無線通信を行うことができる。携帯端末は、ｅＮＢ３を介してｅＮＢ３の上位装置であるＭＭＥ、ＩＭＳ等と通信を行う。
【００２０】
ＭＭＥ５ａ，５ｂ，５ｃ，５ｄは、ネットワーク制御を行うアクセスゲートウェイである。ＭＭＥ５２は、携帯端末の待受時の位置管理機能、他の携帯端末から携帯端末に着信があった際にｅＮＢ３を呼び出すページング機能、及び携帯端末の認証管理機能等を基本機能として有している。これらのＭＭＥ５ａ，５ｂ，５ｃ，５ｄは、複数のセルＳａ１，Ｓａ２，Ｓｂ１，Ｓｂ２，Ｓｃ１，Ｓｃ２，Ｓｄ１，Ｓｄ２をグループ分けしたセル群ＳＧａ，ＳＧｂ，ＳＧｃ，ＳＧｄ毎に対応して設けられる。そして、ＭＭＥ５ａ，５ｂ，５ｃ，５ｄは、それぞれ、対応付けられるセル群ＳＧａ，ＳＧｂ，ＳＧｃ，ＳＧｄを形成するｅＮＢ３との間でネットワーク制御を行う。例えば、ＭＭＥ５ａは、セルＳａ１，Ｓａ２を形成する２つのｅＮＢ３との間でのみネットワーク制御を行う。さらに、ＭＭＥ５ａ，５ｂ，５ｃ，５ｄは、携帯端末の移動時に携帯端末とＩＭＳ１３ａ，１３ｂ，１３ｃ，１３ｄとの間に接続確立されている通信ベアラ（通信経路）の切り換えを行うための信号を、互いに送受信する。
【００２１】
Ｓ−ＧＷ７ａ，７ｂ，７ｃ，７ｄは、ＭＭＥ及びｅＮＢと接続可能にされ、ＭＭＥ及びｅＮＢを介して携帯端末とさらに接続されて携帯端末との間でユーザデータの伝送を行うパケットゲートウェイ（交換機）である。これらのＳ−ＧＷ７ａ，７ｂ，７ｃ，７ｄは、セル群ＳＧａ，ＳＧｂ，ＳＧｃ，ＳＧｄ毎に対応して設けられ、Ｓ−ＧＷ７ａ，７ｂ，７ｃ，７ｄは、それぞれ、対応付けられるセル群ＳＧａ，ＳＧｂ，ＳＧｃ，ＳＧｄを形成するｅＮＢ３と接続されてユーザデータの伝送を行う。例えば、Ｓ−ＧＷ７ａは、ＭＭＥ５ａを介して、セルＳａ１，Ｓａ２を形成する２つのｅＮＢ３と接続可能にされる。
【００２２】
Ｐ−ＧＷ９ａ，９ｂ，９ｃ，９ｄは、Ｓ−ＧＷ７ａ，７ｂ，７ｃ，７ｄと接続可能にされ、ＶｏＬＴＥ等の音声サービス、インターネット接続サービス等の通信サービスを提供するパケットネットワークとの接続点であるゲートウェイ（交換機）である。これらのＰ−ＧＷ９ａ，９ｂ，９ｃ，９ｄは、Ｓ−ＧＷ７ａ，７ｂ，７ｃ，７ｄと接続可能にされ、携帯端末とＩＭＳ１３ａ，１３ｂ，１３ｃ，１３ｄとの間の接続経路を中継し、ユーザデータを転送する。
【００２３】
ＰＣＲＦ１１は、Ｓ−ＧＷ７ａ，７ｂ，７ｃ，７ｄ及びＰ−ＧＷ９ａ，９ｂ，９ｃ，９ｄと接続可能にされ、ＱｏＳ（Quality of Service）等のポリシー制御又は課金制御のための情報を保持し、それらの情報をＳ−ＧＷ７ａ，７ｂ，７ｃ，７ｄ及びＰ−ＧＷ９ａ，９ｂ，９ｃ，９ｄに通知する制御装置である。
【００２４】
ＩＭＳ１３ａ，１３ｂ，１３ｃ，１３ｄは、携帯端末に対してＬＴＥに準拠したＶｏＬＴＥ等の通信サービスを提供する際に通信制御を行う通信制御装置である。すなわち、ＩＭＳ１３ａ，１３ｂ，１３ｃ，１３ｄは、携帯端末に対して通信サービスを提供する際には、予め、Ｐ−ＧＷ、Ｓ−ＧＷ、ＭＭＥ、ｅＮＢを経由して携帯端末との間で通信ベアラ（通信経路）を確立し、その通信経路を用いて通信サービス提供のための通信制御を実行する。
【００２５】
これらのＩＭＳ１３ａ，１３ｂ，１３ｃ，１３ｄは、セル群ＳＧａ，ＳＧｂ，ＳＧｃ，ＳＧｄを１以上のセル群を含むようにさらにグループ分けしたセル上位群ＵＧ１，ＵＧ２毎に対応して設けられている。具体的には、２台のＩＭＳ１３ａ，１３ｂは、セル群ＳＧａ，ＳＧｂを含むセル上位群ＵＧ１に対応付けて設けられ、２台のＩＭＳ１３ｃ，１３ｄは、セル群ＳＧｃ，ＳＧｄを含むセル上位群ＵＧ２に対応付けて設けられている。このようにグループ分けされたＩＭＳ１３ａ，１３ｂは、携帯端末の電源投入時等におけるネットワークへの登録処理（アタッチ処理）時には、セル上位群ＵＧ１配下のセル群ＳＧａ，ＳＧｂに在圏する携帯端末との間でｅＮＢ３、ＭＭＥ５ａ，５ｂ、及びＳ−ＧＷ７ａ，７ｂを経由して通信ベアラを確立する。同様に、ＩＭＳ１３ｃ，１３ｄは、携帯端末のアタッチ処理時には、セル上位群ＵＧ２配下のセル群ＳＧｃ，ＳＧｄに在圏する携帯端末との間でｅＮＢ３、ＭＭＥ５ｃ，５ｄ、及びＳ−ＧＷ７ｃ，７ｄを経由して通信ベアラを確立する。
【００２６】
言い換えれば、アタッチ処理により確立される通信ベアラは、携帯端末の在圏するセルを含むセル群に対応するＭＭＥ及びＳ−ＧＷと、それらの上位のＰ−ＧＷとを経由し、そのセル群を含むセル上位群に対応するＩＭＳまでの経路として選択される。これにより、携帯端末からＩＭＳまでの伝送距離が短縮化されて通信遅延が小さくされる。
【００２７】
ここで、図２には、無線通信システム１の携帯端末のアタッチ時の通信ベアラの設定動作の概要を示している。同図においては、各セル群ＳＧａ，ＳＧｂ，ＳＧｃ，ＳＧｄを形成するｅＮＢ３を１台ずつに簡略化し、各セル群ＳＧａ，ＳＧｂ，ＳＧｃ，ＳＧｄに対応して設けられたＭＭＥ及びＳ−ＧＷを、それぞれ、Ｐ−ＧＷを含めてＥＰＣ（Evolved Packet Core）１５ａ，１５ｂ，１５ｃ，１５ｄとして集約して図示している。ＥＰＣ１５ａ，１５ｂ，１５ｃ，１５ｄは、ＬＴＥ通信を制御し、携帯端末Ｍに対してＩＭＳへのアクセスネットワークを提供する交換機群である。
【００２８】
携帯端末Ｍからアタッチ要求が送信されると、携帯端末Ｍの在圏するセル群ＳＧａを形成するｅＮＢ３によってアタッチ要求が受信され、ｅＮＢ３によってセル群ＳＧａに対応するＥＰＣ１５ａが選択され、そのＥＰＣ１５ａにアタッチ要求が転送される（矢印Ａ１に示す経路）。これに応じて、ＥＰＣ１５ａにより、セル群ＳＧａを含むセル上位群ＵＧ１に対応するいずれかのＩＭＳ１３ａ，１３ｂが選択され、選択されたＩＭＳ１３ａ，１３ｂと携帯端末Ｍとの間で通信ベアラが設定される（矢印Ａ２，Ａ３の経路）。ここでは、携帯端末Ｍが在圏していないセル上位群ＵＧ２に対応するＩＭＳ１３ｃ，１３ｄとの間の通信経路（矢印Ａ４の経路）は設定されないように制御される。
【００２９】
また、図３には、無線通信システム１の携帯端末の移動時の通信ベアラの再設定動作の概要を示している。同図においては、図２と同様に、ｅＮＢ３を簡略化し、ＭＭＥ、Ｓ−ＧＷ、及びＰ−ＧＷを集約して図示している。また、携帯端末ＭがＩＭＳ１３ａとの間の通信ベアラを確立後に、セル上位群ＵＧ１の配下のセル群ＳＧａ内のエリアから、セル上位群ＵＧ２の配下のセル群ＳＧｃ内のエリアまで、セル上位群ＵＧ１，ＵＧ２を跨って移動した場合を想定している。
【００３０】
携帯端末Ｍの移動前においては、携帯端末ＭとＩＭＳ１３ａとの間でＥＰＣ１５ａを経由して通信ベアラＢ１が設定されている。その後、携帯端末Ｍが移動した直後は、携帯端末ＭとＩＭＳ１３ａとの間の接続が維持されたままで、携帯端末Ｍからの移動通知に応じて、移動元のセル群ＳＧａに対応するｅＮＢ３及びＥＰＣ１５ａを経由した通信ベアラＢ１から、移動先のセル群ＳＧｃに対応するｅＮＢ３及びＥＰＣ１５ｃを経由した通信ベアラＢ２に切り替えられる（ハンドオーバされる）。その後、携帯端末Ｍのセル上位群を跨った移動が完了したと検知されたタイミングで、いったん通信ベアラＢ２が切断される。その直後に、携帯端末Ｍからの要求に応じて、移動先のセル群ＳＧｃに対応したｅＮＢ３及びＥＰＣ１５ｃを経由して、セル群ＳＧｃの属するセル上位群ＵＧ２に対応するＩＭＳ１３ｃが選択される。その結果、ｅＮＢ３及びＥＰＣ１５ｃを経由して、携帯端末ＭとＩＭＳ１３ｃとの間の通信ベアラＢ３が再確立される。なお、上記の通信ベアラＢ２の切断及び通信ベアラＢ３の再接続の処理は、携帯端末Ｍが通信ベアラＢ２を介して通信処理を実行中の場合には、当該通信処理の終了後に実行が開始される。例えば、携帯端末Ｍのユーザが音声通話中の場合には音声通話が終了後に開始される。
【００３１】
上述したような携帯端末移動時の通信ベアラの再設定動作は、以下に述べるようなＭＭＥの構成によって実現される。図４は、ＭＭＥ５ａの機能構成を示すブロック図である。なお、ＭＭＥ５ｂ，５ｃ，５ｄもＭＭＥ５ａと同様な構成を有する。同図に示すように、ＭＭＥ５ａは、信号送受信部１０１、条件判断処理部１０３、組み合わせ情報格納部１０５、及び通信状態管理情報格納部１０７を含んで構成されている。
【００３２】
信号送受信部１０１は、携帯端末Ｍ、Ｓ−ＧＷ７ａ，７ｂ、他のＭＭＥ５ｂ，５ｃ，５ｄとの間で各種制御信号を送受信する。例えば、信号送受信部１０１は、ｅＮＢ３を経由して携帯端末Ｍからアタッチ要求を受信し、それに対する応答であるアタッチ応答を携帯端末Ｍに送信する。さらに、信号送受信部１０１は、通信ベアラの確立或いは切替時にＳＧＷ７ａ，７ｂに対して通信ベアラの接続要求を送信し、ＳＧＷ７ａ，７ｂから通信ベアラの接続応答を受信する。また、信号送受信部１０１は、携帯端末Ｍの移動検知時に他のＭＭＥ５ｂ，５ｃ，５ｄとの間で通信ベアラの切り換え（ハンドオーバ）のための各種制御信号を送受信する。また、信号送受信部１０１は、携帯端末Ｍの移動検知時にＳＧＷ７ａ，７ｂ及び携帯端末Ｍに対して通信ベアラの切断要求及び切断通知を送信し、ＳＧＷ７ａ，７ｂ及び携帯端末Ｍから通信ベアラの切断応答及び切断通知応答を受信する。さらに、信号送受信部１０１は、ｅＮＢ３を経由して携帯端末Ｍから通信ベアラの再接続要求を受信し、それに対する応答である再接続応答を携帯端末Ｍに送信する。
【００３３】
条件判断処理部１０３は、信号送受信部１０１によって送受信される信号を参照して、携帯端末Ｍの移動状態、及び携帯端末Ｍの通信状態を判断し、その判断結果に応じて、通信ベアラの切断及び再接続を実行するか否かをさらに判断する。その際、条件判断処理部１０３は、組み合わせ情報格納部１０５及び通信状態管理情報格納部１０７に格納されたデータを参照しながら、移動状態及び通信状態を判断する。
【００３４】
ここで、図５（ａ）には、組み合わせ情報格納部１０５に格納されたデータの構成を示している。組み合わせ情報格納部１０５には、セル群ＳＧａ，ＳＧｂ，ＳＧｃ，ＳＧｄを識別する情報“ＴＡ”と、セル群ＳＧａ，ＳＧｂ，ＳＧｃ，ＳＧｄの属するセル上位群を識別する情報“ＥＰＣ  Ｐｏｏｌ”との組み合わせが格納されている。例えば、セル群ＳＧａを識別する情報“ＴＡ：＃１”及びセル群ＳＧｂを識別する情報“ＴＡ：＃２”と、セル上位群ＵＧ１を識別する情報“ＥＰＣ  Ｐｏｏｌ：＃１”との組み合わせから、セル群ＳＧａ，ＳＧｂが１つのセル上位群ＵＧ１に属することが示されている。同様に、セル群ＳＧｃを識別する情報“ＴＡ：＃３”及びセル群ＳＧｄを識別する情報“ＴＡ：＃４”と、セル上位群ＵＧ２を識別する情報“ＥＰＣ  Ｐｏｏｌ：＃２”との組み合わせから、セル群ＳＧｃ，ＳＧｄが１つのセル上位群ＵＧ２に属することが示されている。
【００３５】
そこで、条件判断処理部１０３は、携帯端末Ｍから受信される位置登録要求を基に、組み合わせ情報格納部１０５を参照して、携帯端末Ｍがセル上位群ＵＧ１，ＵＧ２を跨った移動を完了したか否かを判定する。具体的には、位置登録要求には携帯端末Ｍが直前に在圏していたセル群を識別する情報“ＴＡ”と現在携帯端末Ｍが在圏しているセル群を識別する情報“ＴＡ”とが含まれている。そこで、条件判断処理部１０３は、２つの情報“ＴＡ”をキーにして組み合わせ情報格納部１０５から情報を検索して、携帯端末Ｍの直前に在圏していたセル群の属するセル上位群を特定するとともに、携帯端末Ｍの現在在圏しているセル群の属するセル上位群を特定する。例えば、直前に在圏していたセル群を識別する情報が“ＴＡ：＃１”である場合は、その情報“ＴＡ：＃１”に対応付けられた情報“ＥＰＣ  Ｐｏｏｌ：＃１”を基に、直前に在圏していたセル群の属するセル上位群ＵＧ１を特定する。同様に、現在在圏しているセル群を識別する情報が“ＴＡ：＃３”である場合は、その情報“ＴＡ：＃３”に対応付けられた情報“ＥＰＣ  Ｐｏｏｌ：＃２”を基に、現在在圏しているセル群の属するセル上位群ＵＧ２を特定する。その特定結果を基に、条件判断処理部１０３は、位置登録要求受信時に、直前に在圏していたセル群の属するセル上位群と現在在圏しているセル群の属するセル上位群とが異なるか否かを判定することにより、携帯端末Ｍがセル上位群ＵＧ１，ＵＧ２を跨った移動を完了したか否かを判定する。そして、条件判断処理部１０３は、携帯端末Ｍのセル上位群ＵＧ１，ＵＧ２を跨った移動を検出した場合には、信号送受信部１０１に通知し、信号送受信部１０１に対して携帯端末ＭとＩＭＳ１３ａ，１３ｂ，１３ｃ，１３ｄとの間に接続されている通信ベアラの切断及び再接続のための信号処理を開始するように指示する。
【００３６】
さらに、条件判断処理部１０３は、上記の携帯端末Ｍの移動判定後に、通信状態管理情報格納部１０７に格納されたデータを参照することにより、携帯端末Ｍが通信中であるか否かをさらに判定する。そして、条件判断処理部１０３は、その判定結果を基に、通信ベアラの切断及び再接続を実行するか否かを判断する。図５（ｂ）には、通信状態管理情報格納部１０７に格納されたデータの構成を示している。通信状態管理情報格納部１０７には、携帯端末Ｍのユーザを識別する情報“ユーザＩＤ”と、携帯端末Ｍの現在の通信状態を示す情報“通信状態”と、通信ベアラの切断要否を示すフラグ情報“通信後ＩＭＳベアラ切断要否”との組み合わせが格納されている。例えば、携帯端末Ｍのユーザを識別する“ユーザＩＤ：＃１”に対して“通信状態：通信中”が対応付けられている場合にはその携帯端末Ｍが通信中であることを示し、“通信状態：非通信中”が対応付けられている場合には、その携帯端末Ｍにおける通信が終了していることを示している。また、“ユーザＩＤ：＃１”に対して対応付けられた情報“通信後ＩＭＳベアラ切断要否”により、携帯端末Ｍの通信終了後の通信ベアラの切断要否が示されている。
【００３７】
そこで、条件判断処理部１０３は、携帯端末Ｍから受信される位置登録要求に含まれる“ユーザＩＤ”をキーにして通信状態管理情報格納部１０７から情報を検索して、携帯端末Ｍの通信状態を示す情報“通信状態”、及び携帯端末Ｍに対するベアラ切断処理の要否を示す情報“通信後ＩＭＳベアラ切断要否”を特定する。その特定結果を基に、条件判断処理部１０３は、携帯端末Ｍに対応する“通信状態”が非通信中”であり、かつ、携帯端末Ｍに対応する“通信後ＩＭＳベアラ切断要否”が“要”であるか否かを判定する。そして、条件判断処理部１０３は、“通信状態”が“非通信中”であり、かつ、“通信後ＩＭＳベアラ切断要否”が“要”である場合には、信号送受信部１０１に通知し、信号送受信部１０１に対して携帯端末ＭとＩＭＳ１３ａ，１３ｂ，１３ｃ，１３ｄとの間に接続されている通信ベアラの切断及び再接続のための信号処理を開始するように指示する。
【００３８】
以下、上述した無線通信システム１におけるＶｏＬＴＥ等の所定の通信プロトコルを用いた通信手順の詳細について説明するとともに、本実施形態にかかる接続確立方法について詳述する。以下の説明では、携帯端末Ｍが、電源オン時にはセル群ＳＧａのエリアに位置し、その後、セル群ＳＧａのエリアからセル群ＳＧｃのエリアに向けて、セル上位群ＵＧ１からセル上位群ＵＧ２に跨って移動する際の通信手順について述べる。
【００３９】
図６には、無線通信システム１におけるＶｏＬＴＥを用いた通信手順の全体の流れを示している。同図に示すように、携帯端末Ｍの電源がオンされてから携帯端末Ｍの移動完了後までの間で、大きく分けて、電源オン時の処理Ｓ０１、跨り移動時の処理（或いはハンドオーバ処理）Ｓ０２、通信ベアラ切断処理Ｓ０３、及び通信ベアラ再接続処理Ｓ０４が順番に実行される。
【００４０】
まず、図７には、電源オン時の処理Ｓ０１の詳細手順を示している。最初に、携帯端末（ＵＥ）Ｍの電源がオンされると、携帯端末ＭからＭＭＥ５ａに向けて通信ベアラを設定するためのアタッチ要求（Attach Request）が送信される（ステップＳ１０１）。ＭＭＥ５ａは、アタッチ要求を受信すると、上位側のＳ−ＧＷ７ａに向けて通信ベアラの生成要求である接続要求（Create Session Request）を送信する（ステップS１０２）。次に、接続要求を受けたＳ−ＧＷ７ａは、通信ベアラをどのような条件で制御すべきかを示す情報として、ＱｏＳ情報等の制御情報をＰＣＲＦ１１から取得する（ステップＳ１０３）。
【００４１】
その後、Ｓ−ＧＷ７ａは、上位のＰ−ＧＷ９ａに対して、通信ベアラの生成要求である接続要求（Proxy Binding Update）を送信する（ステップＳ１０４）。これに対して、Ｐ−ＧＷ９ａは、ＰＣＲＦ１１から通信ベアラに関する制御情報を取得する（ステップＳ１０５）。さらに、Ｐ−ＧＷ９ａは、Ｓ−ＧＷ７ａに対応するセル上位群ＵＧ１に対して設けられたＩＭＳ１３ａのアドレスを導出する（ステップＳ１０６）。そして、Ｐ−ＧＷ９ａは、導出したＩＭＳ１３ａのアドレスを含む接続応答（Proxy Binding Ack）を、Ｓ−ＧＷ７ａに返信する（ステップＳ１０７）。これに応じて、Ｓ−ＧＷ７ａは、ＩＭＳ１３ａのアドレスを含む接続応答（Create Session Response）を、ＭＭＥ５ａに返信する（ステップＳ１０８）。次に、ＭＭＥ５ａは、ＩＭＳ１３ａのアドレスを含むアタッチ応答（Attach Accept）を携帯端末Ｍに返信する（ステップＳ１０９）。この時点で、携帯端末ＭとＩＭＳ１３ａとの間で通信ベアラが設定される。
【００４２】
さらに、携帯端末ＭからＩＭＳ１３ａに向けて通信ベアラを登録するための登録要求（SIPRegistration）が送信され（ステップＳ１１０）、これに対して、ＩＭＳ１３ａからＰＣＲＦ１１に向けて、通信ベアラの登録完了通知（AA-Request）が送信される（ステップＳ１１１）。これにより、ＰＣＲＦ１１において、携帯端末Ｍの通信ベアラとその接続先のＩＭＳとの組み合わせに関するデータが保持される。
【００４３】
図８には、携帯端末Ｍにおいて音声通信が行われていない際の跨り移動時の処理Ｓ０２の詳細手順を示している。携帯端末Ｍがセル群ＳＧａのエリアからセル群ＳＧｃのエリアに移動すると、携帯端末Ｍから移動先のセル群ＳＧｃに対応するＭＭＥ５ｃに対して位置登録要求（Tracking Area Update Request）が送信される（ステップＳ１２１）。この位置登録要求には、移動元及び移動先の在圏エリアに対応するセル群を特定する情報“ＴＡ”が含まれる。次に、ＭＭＥ５ｃから移動元のセル群ＳＧａに対応するＭＭＥ５ａに向けて、携帯端末Ｍの移動前の状態を問い合わせるための情報要求（Context Request）が送信される（ステップＳ１２２）。これに対して、ＭＭＥ５ａからＭＭＥ５ｃに向けて、携帯端末Ｍの移動前の状態を含む情報応答（Context Response）が返信される（ステップＳ１２３）。
【００４４】
その後、ＭＭＥ５ｃからその上位のＳ−ＧＷ７ｃに対して、通信ベアラの生成を要求する接続要求（Create Session Request）が送信される（ステップＳ１２４）。次に、Ｓ−ＧＷ７ｃにより、ＰＣＲＦ１１から通信ベアラに関する制御情報が取得される（ステップＳ１２５）。さらに、Ｓ−ＧＷ７ｃから移動前に通信ベアラが経由していたＰ−ＧＷ９ａに対して、新たにＳ−ＧＷ７ｃを経由した通信ベアラの生成を要求する接続要求（Proxy Binding Update）が送信される（ステップＳ１２６）。これに対して、Ｐ−ＧＷ９ａからＳ−ＧＷ７ｃに対して、接続応答（Proxy Binding Ack）が返信され（ステップＳ１２７）、それに応じて、Ｓ−ＧＷ７ｃからＭＭＥ５ｃに対して、接続応答（Create Session Response）が返信される（ステップＳ１２８）。さらに、ＭＭＥ５ｃから携帯端末Ｍに向けて、位置登録応答（Tracking Area Update Accept）が送信される（ステップＳ１２９）。これにより、携帯端末ＭからＩＭＳ１３ａとの間の通信ベアラが、ＭＭＥ５ａ及びＳ−ＧＷ７ａを経由したルートから、ＭＭＥ５ｃ及びＳ−ＧＷ７ｃを経由したルートに切り換えられる。
【００４５】
図９には、携帯端末Ｍにおいて音声通信が行われていない際の通信ベアラの切断処理Ｓ０３の詳細手順を示している。跨り移動時の処理Ｓ０２の後に、ＭＭＥ５ｃによりステップＳ１２１で受信された位置登録要求を基に携帯端末Ｍの移動状態が判断され、携帯端末Ｍのセル上位群ＵＧ１，ＵＧ２を跨った移動を検出した場合には、携帯端末ＭとＩＭＳ１３ａとの間に接続されている通信ベアラの切断及び再接続のための信号処理が開始される（ステップＳ１３１）。ここで、ＭＭＥ５ｃでは、新規に携帯端末Ｍから位置登録要求を受信したことを認識したことにより、跨り移動が検出されてもよい。そうすると、ＭＭＥ５ｃからその上位のＳ−ＧＷ７ｃに向けて通信ベアラを切断するための切断要求（Delete Session Request）が送信される（ステップＳ１３２）。
【００４６】
次に、Ｓ−ＧＷ７ｃからＰＣＲＦ１１に対して、通信ベアラの切断を通知するための切断通知が送信される（ステップＳ１３３）。その後、Ｓ−ＧＷ７ｃから現在の通信ベアラの接続先であるＰ−ＧＷ９ａに対して通信ベアラを切断するための切断要求（Proxy Binding Update）が送信される（ステップＳ１３４）。これに応じて、Ｐ−ＧＷ９ａからＰＣＲＦ１１に対して切断通知が送信される（ステップＳ１３５）。これにより、ＰＣＲＦ１１において、携帯端末Ｍの通信ベアラとその接続先のＩＭＳとの組み合わせに関するデータが削除される。
【００４７】
次に、Ｐ−ＧＷ９ａからＳ−ＧＷ７ｃに対して切断応答（Proxy BindingAck）が返信される（ステップＳ１３６）。さらに、Ｓ−ＧＷ７ｃからＭＭＥ５ｃに向けて切断応答（DeleteSession Response）が返信される（ステップＳ１３７）。この時点で、携帯端末ＭとＩＭＳ１３ａとの間の通信ベアラが切断される。そして、ＭＭＥ５ｃから携帯端末Ｍに対してベアラの切断完了を通知するための切断通知（Deactivate Bearer Request）が送信され（ステップＳ１３８）、それに応じて、携帯端末ＭからＭＭＥ５ｃに向けて切断応答（Deactivate Bearer Response）が返信される（ステップＳ１３９）。
【００４８】
図１０には、通信ベアラ再接続処理Ｓ０４の詳細手順を示している。ステップＳ０３の通信ベアラの切断処理の後に、携帯端末ＭからＭＭＥ５ｃに向けて通信ベアラの再接続のための接続要求（Service Request）が送信される（ステップＳ１４１）。それに応じて、ＭＭＥ５ｃからその上位のＳ−ＧＷ７ｃに対して、通信ベアラの再接続を要求する接続要求（Create Session Request）が送信される（ステップＳ１４２）。次に、Ｓ−ＧＷ７ｃにより、ＰＣＲＦ１１から通信ベアラに関する制御情報が取得される（ステップＳ１４３）。その後、Ｓ−ＧＷ７ｃからその上位のＰ−ＧＷ９ｃに向けて、通信ベアラの再接続を要求する接続要求（Proxy Binding Update）が送信される（ステップＳ１４４）。
【００４９】
それに応じて、Ｐ−ＧＷ９ｃにより、ＰＣＲＦ１１から通信ベアラに関する制御情報が取得される（ステップＳ１４５）。次に、Ｐ−ＧＷ９ｃにより、Ｓ−ＧＷ７ｃに対応するセル上位群ＵＧ２に対して設けられたＩＭＳ１３ｃのアドレスが導出される（ステップＳ１４６）。そして、Ｐ−ＧＷ９ｃにより、ＩＭＳ１３ｃのアドレスを含む接続応答（Proxy Binding Ack）がＳ−ＧＷ７ｃに返信される（ステップＳ１４７）。これに応じて、Ｓ−ＧＷ７ｃにより、ＩＭＳ１３ｃのアドレスを含む接続応答（Create Session Response）が、ＭＭＥ５ｃに返信される（ステップＳ１４８）。次に、ＭＭＥ５ｃにより、ＩＭＳ１３ｃのアドレスを含む接続応答（Service Accept）が携帯端末Ｍに返信される（ステップＳ１４９）。この時点で、携帯端末ＭとＩＭＳ１３ｃとの間で通信ベアラが再確立される。
【００５０】
さらに、携帯端末ＭからＩＭＳ１３ｃに向けて通信ベアラを登録するための登録要求（SIPRegistration）が送信され（ステップＳ１５０）、これに対して、ＩＭＳ１３ｃからＰＣＲＦ１１に向けて、通信ベアラの登録完了通知（AA-Request）が送信される（ステップＳ１５１）。これにより、ＰＣＲＦ１１において、携帯端末Ｍの通信ベアラとその接続先のＩＭＳとの組み合わせに関するデータが保持される。
【００５１】
なお、図６のステップＳ０２においては、携帯端末Ｍが音声通信中である場合には、図８に示した処理に替えて、図１１に示す処理が実行される。図１１は、携帯端末Ｍにおいて音声通信が行われている際のハンドオーバ処理Ｓ０２の詳細手順を示している。  まず、携帯端末Ｍにおいて、音声通信中のｅＮＢ３からの受信電波強度が弱くなってきたことが検知されたことを契機として、使用している通信ベアラの経路を切り換えるためのハンドオーバ要求が、携帯端末Ｍから移動元のセル群ＳＧａに対応するＭＭＥ５ａに向けて送信される（ステップＳ１６１）。それに応じて、ＭＭＥ５ａから移動先のセル群ＳＧｃに対応するハンドオーバ先のＭＭＥ５ｃに対して、ハンドオーバ要求（Forward Relocation Request）が送信される（ステップＳ１６２）。
【００５２】
次に、ＭＭＥ５ｃからその上位のＳ−ＧＷ７ｃに向けて、通信ベアラの生成を要求する接続要求（Create Session Request）が送信される（ステップＳ１６３）。次に、Ｓ−ＧＷ７ｃにより、ＰＣＲＦ１１から通信ベアラに関する制御情報が取得される（ステップＳ１６４）。さらに、Ｓ−ＧＷ７ｃから移動前に通信ベアラが経由していたＰ−ＧＷ９ａに対して、新たにＳ−ＧＷ７ｃを経由した通信ベアラの生成を要求する接続要求（Proxy Binding Update）が送信される（ステップＳ１６５）。これに対して、Ｐ−ＧＷ９ａからＳ−ＧＷ７ｃに対して、接続応答（Proxy Binding Ack）が返信され（ステップＳ１６６）、それに応じて、Ｓ−ＧＷ７ｃからＭＭＥ５ｃに対して、接続応答（Create Session Response）が返信される（ステップＳ１６７）。さらに、ＭＭＥ５ｃからＭＭＥ５ａに向けて、ハンドオーバが完了したことを通知するハンドオーバ応答（Forward Relocation Response）が送信される（ステップＳ１６８）。その後、ＭＭＥ５ａから携帯端末Ｍに向けて、ネットワーク側でハンドオーバ先の準備が整ったことを通知してハンドオーバを指示するハンドオーバ指示が送信される（ステップＳ１６９）。これにより、携帯端末ＭとＩＭＳ１３ａとの間の通信ベアラが、ＭＭＥ５ａ及びＳ−ＧＷ７ａを経由したルートから、ＭＭＥ５ｃ及びＳ−ＧＷ７ｃを経由したルートにハンドオーバされる。
【００５３】
ハンドオーバの完了後、携帯端末Ｍから移動先のＭＭＥ５ｃに対してハンドオーバしたことを通知するハンドオーバ通知が送信される（ステップＳ１７０）。それとともに、携帯端末ＭからＭＭＥ５ｃに向けて、移動元及び移動先の在圏エリアに対応するセル群を特定する情報“ＴＡ”が含まれる位置登録要求（Tracking Area Update Request）が送信される（ステップＳ１７１）。それに応じて、ＭＭＥ５ｃから携帯端末Ｍに対して、位置登録応答（Tracking Area Update Accept）が返信される（ステップＳ１７２）。
【００５４】
また、図６のステップＳ０３においては、携帯端末Ｍが音声通信中である場合には、図９に示した処理に替えて、図１２に示す処理が実行される。図１２は、携帯端末Ｍにおいて音声通信が行われている際の通信ベアラ切断処理Ｓ０３の詳細手順を示している。まず、ハンドオーバ処理Ｓ０２の後に、ＭＭＥ５ｃによりステップＳ１７１で受信された位置登録要求を基に携帯端末Ｍの移動状態が判断され、携帯端末Ｍのセル上位群ＵＧ１，ＵＧ２を跨った移動の完了が検出される（ステップＳ１８１）。ここで、ＭＭＥ５ｃでは、新規に携帯端末Ｍから位置登録要求を受信したことを認識したことにより、跨り移動が検出されてもよい。さらに、ＭＭＥ５ｃにより携帯端末Ｍが音声通信中であることが認識される（ステップＳ１８２）。その後、ＭＭＥ５ｃにより携帯端末Ｍの音声通信が終了された（“非通信中”であること）が認識されると、ＭＭＥ５ｃによりさらに携帯端末Ｍに対するベアラ切断処理要否が判断される（ステップＳ１８３）。音声通信中であるか通信が終了されたかの判断は、音声用のベアラ（通信路）が確保されているか切断されているかによって認識される。その結果、ベアラ切断処理が必要と判断された場合には、ＭＭＥ５ｃからその上位のＳ−ＧＷ７ｃに向けて通信ベアラを切断するための切断要求（Delete Session Request）が送信される（ステップＳ１８４）。
【００５５】
次に、Ｓ−ＧＷ７ｃからＰＣＲＦ１１に対して、通信ベアラの切断を通知するための切断通知が送信される（ステップＳ１８５）。その後、Ｓ−ＧＷ７ｃから現在の通信ベアラの接続先であるＰ−ＧＷ９ａに対して通信ベアラを切断するための切断要求（Proxy Binding Update）が送信される（ステップＳ１８６）。これに応じて、Ｐ−ＧＷ９ａからＰＣＲＦ１１に対して切断通知が送信される（ステップＳ１８７）。これにより、ＰＣＲＦ１１において、携帯端末Ｍの通信ベアラとその接続先のＩＭＳとの組み合わせに関するデータが削除される。次に、ＰＣＲＦ１１からＩＭＳ１３ａに対して、通信ベアラの削除要求が送信される（ステップＳ１８８）。
【００５６】
その後、Ｐ−ＧＷ９ａからＳ−ＧＷ７ｃに対して切断応答（Proxy BindingAck）が返信される（ステップＳ１８９）。さらに、Ｓ−ＧＷ７ｃからＭＭＥ５ｃに向けて切断応答（DeleteSession Response）が返信される（ステップＳ１９０）。この時点で、携帯端末ＭとＩＭＳ１３ａとの間の通信ベアラが切断される。そして、ＭＭＥ５ｃから携帯端末Ｍに対してベアラの切断完了を通知するための切断通知（Deactivate Bearer Request）が送信され（ステップＳ１９１）、それに応じて、携帯端末ＭからＭＭＥ５ｃに向けて切断応答（Deactivate Bearer Response）が返信される（ステップＳ１９２）。
【００５７】
以上説明した無線通信システム１或いは無線通信システム１における接続確立方法によれば、携帯端末Ｍが在圏可能な複数のセルＳａ１，Ｓａ２，Ｓｂ１，Ｓｂ２，Ｓｃ１，Ｓｃ２，Ｓｄ１，Ｓｄ２のそれぞれに対応したｅＮＢ３と、複数のセル群ＳＧａ，ＳＧｂ，ＳＧｃ，ＳＧｄ毎に設けられたＭＭＥ５ａ，５ｂ，５ｃ，５ｄ及びＳ−ＧＷ７ａ，７ｂ，７ｃ，７ｄと、セル上位群ＵＧ１，ＵＧ２毎にそれぞれ設けられたＩＭＳ１３ａ，１３ｂ，１３ｃ，１３ｄが設けられている。そして、無線通信システム１或いは接続確立方法によれば、携帯端末Ｍがセル群ＳＧａからセル群ＳＧｃに移動したことが検知されると、携帯端末Ｍとセル群ＳＧａに対応するＩＭＳ１３ａとの間の通信ベアラが切断された後に、携帯端末Ｍとセル群ＳＧｃに対応するＩＭＳ１３ｃとの間の通信ベアラが再接続される。これにより、携帯端末Ｍが移動した際に、携帯端末ＭとＩＭＳ１３ａ，１３ｂ，１３ｃ，１３ｄとの間の伝送距離が短くされて、携帯端末Ｍにおける音声通信の遅延が効果的に低減される。
【００５８】
このような通信遅延削減の効果を、比較例と比較しながら説明する。図２１には、比較例にかかる無線通信システム９０１の携帯端末のアタッチ時の通信ベアラの設定動作の概要を示している。同図に示すように、無線通信システム９０１おいては、無線通信システム１と異なり、ＩＭＳ１３ａ，１３ｂ，１３ｃ，１３ｄは、全てのセル群ＳＧａ，ＳＧｂ，ＳＧｃ，ＳＧｄに在圏する携帯端末に共通して設けられ、ＥＰＣ１５ａ，１５ｂ，１５ｃ，１５ｄは、セル上位群ＵＧ１，ＵＧ２のいずれかに対応して設けられている。無線通信システム９０１に対して携帯端末Ｍからアタッチ要求が送信されると、携帯端末Ｍの在圏するセル群ＳＧａを形成するｅＮＢ３によってアタッチ要求が受信される（矢印Ａ９１）。次に、ｅＮＢ３によってセル上位群ＵＧ１に対応して設けられたＥＰＣ１５ａ又はＥＰＣ１５ｂが選択され（矢印Ａ９２又は矢印Ａ９３）、選択されたＥＰＣ１５ａにアタッチ要求が転送される。これに応じて、ＥＰＣ１５ａにより、ＩＭＳ１３ａ，１３ｂ，１３ｃ，１３ｄのうちのいずれか１つが選択され、選択されたＩＭＳと携帯端末Ｍとの間で通信ベアラが設定される（矢印Ａ９４、Ａ９５、Ａ９６、Ａ９７）。
【００５９】
そして、図２２には、無線通信システム９０１の複数の携帯端末の通信ベアラの設定状態を示している。同図に示すように、携帯端末Ｍ１に対していったんＩＭＳ１３ｄとの間で通信ベアラＢ９１が設定されると、一度選択されたＩＭＳ１３ｄは携帯端末Ｍ１の移動状態にかかわらずデタッチするまでずっと使用され続ける。同様に、携帯端末Ｍ２に対していったんＩＭＳ１３ａとの間で通信ベアラＢ９２が設定されると、一度選択されたＩＭＳ１３ａは携帯端末Ｍ２の移動状態にかかわらずデタッチするまでずっと使用され続ける。従って、ＩＭＳ１３ａの設置場所と携帯端末Ｍ２の在圏エリアが物理的に遠い場合、あるいは、ＩＭＳ１３ｄの設置場所と携帯端末Ｍ１の在圏エリアが物理的に遠い場合には、携帯端末Ｍ１と携帯端末Ｍ２とが音声通信するときの通信遅延が大きくなる場合がある。
【００６０】
これに対して、図１３には、無線通信システム１の複数の携帯端末の通信ベアラの設定状態を示している。本実施形態の無線通信システム１においては、携帯端末Ｍ１に移動状態に応じて、携帯端末Ｍ１の在圏エリアの属するセル上位群ＵＧ１に対応するＩＭＳ１３ａが選択されて通信ベアラＢ４が設定される。同様に、携帯端末Ｍ２に移動状態に応じて、携帯端末Ｍ２の在圏エリアの属するセル上位群ＵＧ２に対応するＩＭＳ１３ｄが選択されて通信ベアラＢ５が設定される。従って、ＩＭＳの設置場所を分散させることにより、ＩＭＳの接続先と携帯端末Ｍ１，Ｍ２の在圏エリアとの距離を常に小さく保つことが容易となり、携帯端末Ｍ１と携帯端末Ｍ２とが通信するときの通信遅延を低減することが可能である。
【００６１】
さらに、無線通信システム１においては、携帯端末Ｍがセル群ＳＧａからセル群ＳＧｃへ跨って移動したことを検知した直後に、セル群ＳＧａに対応するＥＰＣ１５ａを経由した通信経路から、セル群ＳＧｃに対応するＥＰＣ１５ｃを経由した通信経路にハンドオーバされた後に、通信ベアラの切断及び再確立が実行される（図３）。これにより、携帯端末Ｍの移動中における通信の途絶を確実に防止できる。
【００６２】
また、無線通信システム１においては、携帯端末Ｍがセル群ＳＧａからセル群ＳＧｃへ跨って移動したことを検知した際に、携帯端末Ｍが音声通信処理を実行中の場合には、音声通信処理が終了された後に、通信ベアラの切断及び再確立を実行される。このような構成を採ることで、携帯端末Ｍの移動中及び移動後における音声通信の途絶を確実に防止できる。さらに、携帯端末Ｍからの位置登録要求を基にして、セル群間を跨った移動が検出されるので、携帯端末Ｍの移動状態を迅速に把握することができ、その結果、携帯端末Ｍにおける通信遅延が継続的に低減される。
【００６３】
一般に、従来の無線通信システムでは、無線保護の観点、及びネットワーク保護の観点から携帯端末Ｍに対して発信規制をかけることが可能にされている。例えば、無線保護の観点から、混雑している特定の無線エリアに含まれるセルに在圏する携帯端末に対して報知情報を送信することで、通信規制が実行される。また、ネットワーク保護の観点からは、ＩＭＳ等のネットワーク設備における輻輳を防止するために、無線通信システムに接続している全ての携帯端末に対して通信規制が実行されて重要通信（緊急呼、優先呼等）の確保が為される。これは、通信規制はエリア単位でしか実行できないために、ネットワーク設備を保護するためには、携帯端末を全体的に規制する必要があるためである。
【００６４】
一方、本実施形態の無線通信システム１においては、ＩＭＳと接続する携帯端末Ｍの在圏エリアを、エリア単位、具体的にはセル上位群単位で限定することができる。そのため、特定のＩＭＳが輻輳した場合は、そのＩＭＳに対応するセル上位群に含まれるセルに在圏する携帯端末に対して規制をかけることで、そのＩＭＳの輻輳を防ぐことができる。例えば、ＩＭＳ１３ａが輻輳した場合は、セル群ＳＧａ，ＳＧｂに在圏する携帯端末に対して通信規制が実行可能である。このとき、ＩＭＳ１３ｂを使用している携帯端末の通信も規制されることになるが、全体的に規制される既存処理と比較すると、規制による影響範囲を局在化することができる。基本的に、ネットワーク保護の観点で規制を実行するケースは地震などの災害発生時が多く、ある一定のエリアでの通信の輻輳が想定される。そのため、ＩＭＳ１３ａのみが輻輳するわけではなく、ＩＭＳ１３ｂも同時に輻輳するケースが多いと想定される。従って、セル上位群の配下の携帯端末の通信が全て規制対象となっても問題は生じにくい。
【００６５】
［第２実施形態］
次に、本発明の第２実施形態にかかる無線通信システム１Ａについて説明する。本実施形態の無線通信システム１Ａの第１実施形態との相違点は、携帯端末Ｍにおいて音声通信が行われていない際の跨り移動時の処理、及び携帯端末Ｍの音声通信時の通信ベアラの切断処理を、ＰＣＲＦ１１で制御する点である。
【００６６】
図１４は、第２実施形態に係るＰＣＲＦ１１の機能構成を示すブロック図である。同図に示すように、ＰＣＲＦ１１は、信号送受信部２０１、条件判断処理部２０３、組み合わせ情報格納部２０５、通信状態管理情報格納部２０７、及びアドレス情報格納部２０９を含んで構成されている。
【００６７】
信号送受信部２０１は、Ｓ−ＧＷ７ａ，７ｂ，７ｃ，７ｄ、Ｐ−ＧＷ９ａ，９ｂ，９ｃ，９ｄとの間で各種制御信号を送受信する。例えば、信号送受信部２０１は、Ｓ−ＧＷ７ａ，７ｂ，７ｃ，７ｄ、又はＰ−ＧＷ９ａ，９ｂ，９ｃ，９ｄから、通信ベアラに関する制御情報の取得要求を受け、それに応じて、Ｓ−ＧＷ７ａ，７ｂ，７ｃ，７ｄ、又はＰ−ＧＷ９ａ，９ｂ，９ｃ，９ｄに制御情報を送信する。また、信号送受信部２０１は、ＩＭＳ１３ａ，１３ｂ，１３ｃ，１３ｄから、通信ベアラの登録完了通知を受信し、それに応じて、携帯端末Ｍの通信ベアラとその接続先のＩＭＳとの組み合わせに関するデータを保持する。さらに、信号送受信部２０１は、Ｓ−ＧＷ７ａ，７ｂ，７ｃ，７ｄ、又はＰ−ＧＷ９ａ，９ｂ，９ｃ，９ｄから、通信ベアラの切断を通知するための切断通知を受信し、それに応じて、通信ベアラに関するデータを削除する。また、信号送受信部２０１は、条件判断処理部２０３から、通信ベアラの切断が指示された際に、その通信ベアラが経由しているＰ−ＧＷ９ａ，９ｂ，９ｃ，９ｄとの間で切断要求を送受信する。さらに、信号送受信部２０１は、通信ベアラが切断された際に、その通信ベアラが経由していたＩＭＳ１３ａ，１３ｂ，１３ｃ，１３ｄに向けて、切断通知を送信する。
【００６８】
条件判断処理部２０３は、信号送受信部２０１によって送受信される信号を参照して、携帯端末Ｍの移動状態、及び携帯端末Ｍの通信状態を判断し、その判断結果に応じて、通信ベアラの切断及び再接続を実行するか否かをさらに判断する。その際、条件判断処理部２０３は、組み合わせ情報格納部２０５、通信状態管理情報格納部２０７、及びアドレス情報格納部２０９に格納されたデータを参照しながら、移動状態及び通信状態を判断する。
【００６９】
ここで、図１５（ａ）には、組み合わせ情報格納部２０５に格納されたデータの構成を示している。組み合わせ情報格納部２０５には、Ｓ−ＧＷ７ａ，７ｂ，７ｃ，７ｄを識別する情報“Ｓ−ＧＷアドレス”と、セル上位群を識別する情報“ＥＰＣ  Ｐｏｏｌ”との組み合わせが格納されている。例えば、Ｓ−ＧＷ７ａのアドレス“＃１”及びＳ−ＧＷ７ｂのアドレス“＃２”と、セル上位群ＵＧ１を識別する情報“ＥＰＣ  Ｐｏｏｌ：＃１”との組み合わせから、Ｓ−ＧＷ７ａ，７ｂが１つのセル上位群ＵＧ１に属することが示されている。また、図１５（ｃ）には、アドレス情報格納部２０９に格納されたデータの構成を示している。アドレス情報格納部２０９には、携帯端末Ｍを特定する情報“ユーザＩＤ”と、携帯端末Ｍに対して設定された通信ベアラの経由するＳ−ＧＷ７ａ，７ｂ，７ｃ，７ｄを識別する情報“旧Ｓ−ＧＷアドレス”との組み合わせが格納されている。例えば、携帯端末ＭのユーザＩＤ“＃１”と、Ｓ−ＧＷ７ａのアドレス“ｘｘｘ．ｘｘｘ．ｘｘｘ．ｘｘｘ”との組み合わせから、現在携帯端末Ｍに設定されている通信ベアラがＳ−ＧＷ７ａを経由していることが示されている。また、図１５（ｂ）には、通信状態管理情報格納部２０７に格納されたデータの構成を示している。このデータの構成は、通信状態管理情報格納部１０７に格納されたデータ構成（図５（ｂ））と同様である。
【００７０】
そこで、条件判断処理部２０３は、Ｓ−ＧＷ７ｃからの制御情報の取得要求を受信した際に、通信先のＳ−ＧＷ７ａのアドレスを特定し、以前制御情報を送受信した通信先のアドレスとの間で、それらが属するセル上位群が異なっているか否かを判定することにより、携帯端末Ｍがセル上位群ＵＧ１，ＵＧ２を跨った移動を完了したか否かを判定する。具体的には、条件判断処理部２０３は、現在の通信先のＳ−ＧＷ７ｃのアドレス“＃３”及び以前の通信先のＳ−ＧＷ７ａのアドレス“＃１”をキーにして組み合わせ情報格納部２０５から情報を検索して、携帯端末Ｍの直前に在圏していたセル群の属するセル上位群“＃１”と、携帯端末Ｍが現在在圏しているセル群の属するセル上位群“＃３”とを特定する。なお、以前の通信先のＳ−ＧＷ７ａのアドレスは、携帯端末ＭのユーザＩＤをキーにしてアドレス情報格納部２０９を検索することにより特定される。その特定結果を基に、条件判断処理部２０３は、直前に在圏していたセル群の属するセル上位群と現在在圏しているセル群の属するセル上位群とが異なるか否かを判定することにより、携帯端末Ｍがセル上位群ＵＧ１，ＵＧ２を跨った移動を完了したか否かを判定する。そして、条件判断処理部２０３は、携帯端末Ｍのセル上位群ＵＧ１，ＵＧ２を跨った移動を検出した場合には、信号送受信部２０１に通知し、信号送受信部２０１に対して携帯端末ＭとＩＭＳ１３ａ，１３ｂ，１３ｃ，１３ｄとの間に接続されている通信ベアラの切断及び再接続のための信号処理を開始するように指示する。
【００７１】
さらに、条件判断処理部２０３は、第１実施形態にかかる条件判断処理部１０３と同様にして、上記の携帯端末Ｍの移動判定後に、携帯端末Ｍが通信中であるか否か、及び通信ベアラの切断が必要か否かを判定する。そして、条件判断処理部２０３は、条件判断処理部１０３と同様にして、その判定結果を基に、通信ベアラの切断及び再接続を実行するか否かを判断する。
【００７２】
本実施形態にかかる無線通信システム１Ａによる接続確立方法と第１実施形態にかかる接続確立方法とでは、携帯端末Ｍにおいて音声通信が行われていない際の跨り移動時の処理Ｓ０２、及び携帯端末Ｍにおいて音声通信が行われている際の通信ベアラ切断処理Ｓ０３の手順において異なる。
【００７３】
図１６には、携帯端末Ｍにおいて音声通信が行われていない際の跨り移動時の処理Ｓ０２の詳細手順を示している。まず、第１実施形態における跨り移動時の処理Ｓ０２のステップＳ１２１〜ステップＳ１２５（図８）と同様にして、携帯端末Ｍからの位置登録要求の受信を契機に、Ｓ−ＧＷ７ｃからＰＣＲＦ１１に対して、通信ベアラに関する制御情報が要求される（ステップＳ２０１〜Ｓ２０５）。この要求を基に、ＰＣＲＦ１１において携帯端末Ｍの跨り移動の完了が認識される（ステップＳ２０６）。その後、第１実施形態における跨り移動時の処理Ｓ０２のステップＳ１２６〜ステップＳ１２９（図８）と同様にして、携帯端末ＭとＩＭＳ１３ａとの間の通信ベアラが、ＭＭＥ５ａ及びＳ−ＧＷ７ａを経由したルートから、ＭＭＥ５ｃ及びＳ−ＧＷ７ｃを経由したルートに切り換えられる（ステップＳ２０７〜Ｓ２１０）。
【００７４】
図１７には、携帯端末Ｍにおいて音声通信が行われている際の通信ベアラ切断処理Ｓ０３の手順を示している。まず、ハンドオーバ処理Ｓ０２の後に、ＰＣＲＦ１１によりステップＳ２０６と同様にして携帯端末Ｍのセル上位群ＵＧ１，ＵＧ２を跨った移動の完了が検出される（ステップＳ２２１）。次に、ＰＣＲＦ１１により携帯端末Ｍが音声通信中であることが認識される（ステップＳ２２２）。その後、ＰＣＲＦ１１により携帯端末Ｍの音声通信が終了された（“非通信中”であること）が認識されると、ＰＣＲＦ１１によりさらに携帯端末Ｍに対するベアラ切断処理要否が判断される（ステップＳ２２３）。その結果、ベアラ切断処理が必要と判断された場合には、ＰＣＲＦ１１から現在接続されている通信ベアラが経由しているＰ−ＧＷ９ａに対して、切断要求が送信される（ステップＳ２２４）。
【００７５】
次に、Ｐ−ＧＷ９ａからＳ−ＧＷ７ｃに向けて、通信ベアラを切断するための切断要求（BindingRevocation Indication）が送信される（ステップＳ２２５）。これに応じて、Ｓ−ＧＷ７ｃからＭＭＥ５ｃに対して、通信ベアラを切断するための切断要求（Delete Bearer Request）が送信される（ステップＳ２２６）。そして、ＭＭＥ５ｃから携帯端末Ｍに対してベアラの切断を通知するための切断通知（Deactivate Bearer Request）が送信され（ステップＳ２２７）、それに応じて、携帯端末ＭからＭＭＥ５ｃに向けて切断応答（Deactivate Bearer Response）が返信される（ステップＳ２２８）。
【００７６】
その後、ＭＭＥ５ｃからＳ−ＧＷ７ｃに対して、切断応答（Delete BearerResponse）が送信される（ステップＳ２２９）。これに応じて、Ｓ−ＧＷ７ｃからＰＣＲＦ１１に対して切断通知が送信される（ステップＳ２３０）。さらに、Ｓ−ＧＷ７ｃからＰ−ＧＷ９ａに対して切断応答（Binding Revocation Ack）が送信される（ステップＳ２３１）。その後、Ｐ−ＧＷ９ａからＰＣＲＦ１１に対して切断要求が返信される（ステップＳ２３２）。そして、ＰＣＲＦ１１から通信ベアラの接続先のＩＭＳ１３ａに対して、切断通知（AS-Request）が送信される（ステップＳ２３３）。
【００７７】
以上説明した無線通信システム１Ａによっても、携帯端末Ｍが移動した際に、携帯端末ＭとＩＭＳ１３ａ，１３ｂ，１３ｃ，１３ｄとの間の伝送距離が短くされて、携帯端末Ｍにおける音声通信の遅延が効果的に低減される。
【００７８】
［第３実施形態］
次に、本発明の第３実施形態にかかる無線通信システム１Ｂについて説明する。本実施形態の無線通信システム１Ｂの第１実施形態との相違点は、携帯端末Ｍの音声通信時の通信ベアラの切断処理を、ＩＭＳで制御する点である。
【００７９】
図１８は、第３実施形態に係るＩＭＳ１３ａの機能構成を示すブロック図である。なお、ＩＭＳ１３ｂ，１３ｃ，１３ｄもＩＭＳ１３ａと同様な構成を有する。同図に示すように、ＩＭＳ１３ａは、信号送受信部３０１、条件判断処理部３０３、組み合わせ情報格納部３０５、通信状態管理情報格納部３０７、及び在圏情報格納部３０９を含んで構成されている。
【００８０】
信号送受信部３０１は、携帯端末Ｍ、及びＰＣＲＦ１１との間で各種制御信号を送受信する。例えば、信号送受信部３０１は、携帯端末Ｍから通信ベアラを登録するための登録要求を受信し、それに対して、信号送受信部３０１は、ＰＣＲＦ１１に対して登録完了通知を送信する。また、信号送受信部３０１は、通信ベアラ切断時にＰＣＲＦ１１から切断通知を受信する。さらに、信号送受信部３０１は、ＰＣＲＦ１１に対して通信ベアラの切断を要求する切断要求を送信する。
【００８１】
条件判断処理部３０３は、信号送受信部３０１によって送受信される信号を参照して、携帯端末Ｍの移動状態、及び携帯端末Ｍの通信状態を判断し、その判断結果に応じて、通信ベアラの切断及び再接続を実行するか否かをさらに判断する。その際、条件判断処理部３０３は、組み合わせ情報格納部３０５、通信状態管理情報格納部３０７、及び在圏情報格納部３０９に格納されたデータを参照しながら、移動状態及び通信状態を判断する。
【００８２】
ここで、図１９（ａ）には、組み合わせ情報格納部３０５に格納されたデータの構成を示している。組み合わせ情報格納部３０５には、セル或いはセル群を識別する情報“位置情報”と、セル上位群を識別する情報“ＥＰＣ  Ｐｏｏｌ”との組み合わせが格納されている。例えば、セル群ＳＧａの識別情報“＃１”及びセル群ＳＧｂの識別情報“＃２”と、セル上位群ＵＧ１を識別する情報“ＥＰＣ  Ｐｏｏｌ：＃１”との組み合わせから、セル群ＳＧａ，ＳＧｂが１つのセル上位群ＵＧ１に属することが示されている。また、図１９（ｃ）には、在圏情報格納部３０９に格納されたデータの構成を示している。在圏情報格納部３０９には、携帯端末Ｍを特定する情報“ユーザＩＤ”と、携帯端末Ｍが現在在圏するセル又はセル群を識別する情報“在圏情報”との組み合わせが格納されている。例えば、携帯端末ＭのユーザＩＤ“＃１”と、セル群ＳＧｃの識別情報“ｘｘｘ．ｘｘｘ．ｘｘｘ．ｘｘｘ”との組み合わせから、現在携帯端末Ｍがセル群ＳＧｃに含まれるセルの在圏エリアに位置していることが示されている。また、図１９（ｂ）には、通信状態管理情報格納部３０７に格納されたデータの構成を示している。このデータの構成は、通信状態管理情報格納部１０７に格納されたデータ構成（図５（ｂ））と同様である。
【００８３】
そこで、条件判断処理部３０３は、携帯端末Ｍから発信要求を受信したタイミングで携帯端末Ｍの在圏情報（位置情報）を取得し、以前発信要求を受信したときに取得した在圏情報との間で、それらが属するセル上位群が異なっているか否かを判定することにより、携帯端末Ｍがセル上位群ＵＧ１，ＵＧ２を跨った移動を完了したか否かを判定する。具体的には、条件判断処理部３０３は、現在の在圏情報“＃３”及び以前取得した在圏情報“＃１”をキーにして組み合わせ情報格納部３０５から情報を検索して、携帯端末Ｍの直前に在圏していたセル群の属するセル上位群“＃１”と、携帯端末Ｍが現在在圏しているセル群の属するセル上位群“＃３”とを特定する。なお、以前取得した在圏情報は、携帯端末ＭのユーザＩＤをキーにして在圏情報格納部３０９を検索することにより特定される。その特定結果を基に、条件判断処理部３０３は、発信要求受信時に、直前に在圏していたセル群の属するセル上位群と現在在圏しているセル群の属するセル上位群とが異なるか否かを判定することにより、携帯端末Ｍがセル上位群ＵＧ１，ＵＧ２を跨った移動を完了したか否かを判定する。そして、条件判断処理部２０３は、携帯端末Ｍのセル上位群ＵＧ１，ＵＧ２を跨った移動を検出した場合には、信号送受信部３０１に通知し、信号送受信部３０１に対して携帯端末ＭとＩＭＳ１３ａ，１３ｂ，１３ｃ，１３ｄとの間に接続されている通信ベアラの切断及び再接続のための信号処理を開始するように指示する。
【００８４】
さらに、条件判断処理部３０３は、第１実施形態にかかる条件判断処理部１０３と同様にして、上記の携帯端末Ｍの移動判定後に、携帯端末Ｍが通信中であるか否か、及び通信ベアラの切断が必要か否かを判定する。そして、条件判断処理部３０３は、条件判断処理部１０３と同様にして、その判定結果を基に、通信ベアラの切断及び再接続を実行するか否かを判断する。
【００８５】
本実施形態にかかる無線通信システム１Ｂによる接続確立方法と第１実施形態にかかる接続確立方法とでは、携帯端末Ｍにおいて音声通信が行われている際の通信ベアラ切断処理Ｓ０３の手順において異なる。
【００８６】
図２０には、携帯端末Ｍにおいて音声通信が行われている際の通信ベアラ切断処理Ｓ０３の詳細手順を示している。まず、携帯端末Ｍから、ＩＭＳ１３ａの間で接続された通信ベアラを使用して、音声通信に関する発信要求（SIP Invite）が送信される（ステップＳ３０１）。それに応じて、ＩＭＳ１３ａからＰＣＲＦ１１に対して携帯端末Ｍの在圏情報（位置情報）を要求する位置情報要求（AA-Request）が送信される（ステップＳ３０２）。次に、ＰＣＲＦ１１からＳ−ＧＷ７ｃに向けて、位置登録要求（RA-Request）が送信され（ステップＳ３０３）、これに対して、Ｓ−ＧＷ７ｃからＭＭＥ５ｃに向けて、位置登録要求（Update Bearer Request）が送信される（ステップＳ３０４）。さらに、ＭＭＥ５ｃから携帯端末Ｍに対して、位置情報要求（Location Reporting Control）が送信され（ステップＳ３０５）、携帯端末ＭからＭＭＥ５ｃに対して、在圏情報を含む位置情報応答（Location Report）が返信される（ステップＳ３０６）。
【００８７】
その後、ＭＭＥ５ｃからＳ−ＧＷ７ｃに向けて、位置情報応答（Update BearerResponse）が送信される（ステップＳ３０７）。次に、Ｓ−ＧＷ７ｃからＰＣＲＦ１１に向けて、位置情報応答（CC-Request）が送信された後に（ステップＳ３０８）、ＰＣＲＦ１１からＩＭＳ１３ａに対して、位置情報応答（RA-Request）が送信される（ステップＳ３０９）。これに対して、ＩＭＳ１３ａにおいて位置情報応答に含まれる在圏情報を参照することにより、携帯端末Ｍの跨り移動の完了が認識される（ステップＳ３１０）。
【００８８】
次に、ＩＭＳ１３ａにより携帯端末Ｍの音声通信が終了された（“非通信中”であること）が認識されると、ＩＭＳ１３ａによりさらに携帯端末Ｍに対するベアラ切断処理要否が判断される（ステップＳ３１１）。その結果、ベアラ切断処理が必要と判断された場合には、ＩＭＳ１３ａからＰＣＲＦ１１に対して、現在携帯端末Ｍとの間で接続されている通信ベアラを切断する切断要求（ST-Request）が送信される（ステップＳ３１２）。その後、第２実施形態におけるステップＳ２２４〜ステップＳ２３３（図１７）と同様にして、携帯端末ＭとＩＭＳ１３ａとの間の通信ベアラが切断される（ステップＳ３１３）。
【００８９】
以上説明した無線通信システム１Ｂによっても、携帯端末Ｍが移動した際に、携帯端末ＭとＩＭＳ１３ａ，１３ｂ，１３ｃ，１３ｄとの間の伝送距離が短くされて、携帯端末Ｍにおける音声通信の遅延が効果的に低減される。
【符号の説明】
【００９０】
１，１Ａ，１Ｂ…無線通信システム、３…ｅＮＢ３（無線基地局）、Ｍ，Ｍ１，Ｍ２…携帯端末（端末装置）、Ｓａ１，Ｓａ２，Ｓｂ１，Ｓｂ２，Ｓｃ１，Ｓｃ２，Ｓｄ１，Ｓｄ２…セル、ＳＧａ，ＳＧｂ，ＳＧｃ，ＳＧｄ…セル群、ＵＧ１，ＵＧ２…セル上位群、５ａ，５ｂ，５ｃ，５ｄ…ＭＭＥ、７ａ，７ｂ，７ｃ，７ｄ…Ｓ−ＧＷ（交換機）、１３ａ，１３ｂ，１３ｃ，１３ｄ…ＩＭＳ（通信制御装置）。
【図１】
2015043517.tif 000003
【図２】
2015043517.tif 000004
【図３】
2015043517.tif 000005
【図４】
2015043517.tif 000006
【図５】
2015043517.tif 000007
【図６】
2015043517.tif 000008
【図７】
2015043517.tif 000009
【図８】
2015043517.tif 000010
【図９】
2015043517.tif 000011
【図１０】
2015043517.tif 000012
【図１１】
2015043517.tif 000013
【図１２】
2015043517.tif 000014
【図１３】
2015043517.tif 000015
【図１４】
2015043517.tif 000016
【図１５】
2015043517.tif 000017
【図１６】
2015043517.tif 000018
【図１７】
2015043517.tif 000019
【図１８】
2015043517.tif 000020
【図１９】
2015043517.tif 000021
【図２０】
2015043517.tif 000022
【図２１】
2015043517.tif 000023
【図２２】
2015043517.tif 000024